【手続補正書】
【提出日】平成20年11月21日(2008.11.21)
【手続補正１】
【補正対象書類名】特許請求の範囲
【補正対象項目名】全文
【補正方法】変更
【補正の内容】
【特許請求の範囲】
【請求項１】
複数のシリンダーであって、各シリンダーが蒸気室と前記蒸気室の境界を定めるピストンとを有し、前記ピストンが膨張位置と収縮位置との間で移動できる前記複数のシリンダーと、
前記膨張位置から前記収縮位置への前記ピストンの移動により定められる動力行程と、
前記収縮位置から前記膨張位置への前記ピストンの移動により定められる蒸気吸入行程と、
真空部と、
前記動力行程中に前記真空部に対する前記蒸気室の連通を制御する複数の第１弁と、
前記蒸気吸入行程中に前記蒸気室への蒸気の進入を制御する複数の第２弁と、
を備え、
前記複数のシリンダーの複数の前記ピストンは同期運動するよう連結され、
前記複数のシリンダーの一方における前記動力行程が前記複数のシリンダーの他方における前記ピストンを駆動して移動させることを特徴とする２ストローク蒸気真空エンジン。
【請求項２】
前記複数のシリンダー各々の前記蒸気室との連通が制御された少なくとも１つの垂直な熱交換器をさらに備え、前記少なくとも１つの垂直な熱交換器は前記真空部に連通していることを特徴とする請求項１に記載の２ストローク蒸気真空エンジン。
【請求項３】
前記垂直な熱交換器の垂直寸法が該熱交換器の水平幅よりも大きいことを特徴とする請求項２に記載の２ストローク蒸気真空エンジン。
【請求項４】
少なくとも１つの垂直な熱交換器が前記複数のシリンダー各々に隣接して配置されることを特徴とする請求項３に記載の２ストローク蒸気真空エンジン。
【請求項５】
冷却液を循環させるための少なくとも１つの冷却管をさらに備え、前記少なくとも１つの冷却管が前記少なくとも１つの垂直な熱交換器内に配置されることを特徴とする請求項３に記載の２ストローク蒸気真空エンジン。
【請求項６】
第１ポートと第２ポートとを有する水平な熱交換器をさらに備え、前記第１ポートが前記少なくとも１つの垂直な熱交換器及び前記複数のシリンダーと連通し、前記第２ポートが前記真空部と連通していることを特徴とする請求項３に記載の２ストローク蒸気真空エンジン。
【請求項７】
前記少なくとも１つの垂直な熱交換器に連通した凝縮液収集タンクをさらに備え、前記凝縮液収集タンクが前記垂直な熱交換器より下方に配置されることを特徴とする請求項２に記載の２ストローク蒸気真空エンジン。
【請求項８】
前記少なくとも１つの垂直な熱交換器から下がって前記凝縮液収集タンクまで延びている凝縮液ドレン管と、
水平な脚部及び逆Ｕ字形状部を有する真空コネクタ管とをさらに備え、
前記水平な脚部は前記凝縮液ドレン管に連結された第１端部と、前記逆Ｕ字形状部に連結された第２端部とを有し、前記逆Ｕ字形状部が前記真空部に連通していることを特徴とする請求項７に記載の２ストローク蒸気真空エンジン。
【請求項９】
前記真空部が真空タンクを含み、
前記真空タンクに連通した水平な熱交換器をさらに備え、前記真空コネクタ管の前記逆Ｕ字形状部が前記水平な熱交換器に連結されることを特徴とする請求項８に記載の２ストローク蒸気真空エンジン。
【請求項１０】
前記凝縮液収集タンクが第１側面、第２側面、内面及びピストンを有し、前記ピストンは前記第１側面に隣接した第１位置と前記第２側面に隣接した第２位置との間で縦方向に移動でき、前記第１位置と第２位置との間での前記ピストンの移動により前記内面をスイープしていき凝縮液を除去する
ことを特徴とする請求項７に記載の２ストローク蒸気真空エンジン。
【請求項１１】
前記ピストンが前記第１側面に隣接した第１容積部と前記第２側面に隣接した第２容積部との境界を定め、
前記第１容積部と前記少なくとも１つの垂直な熱交換器との間の連通を制御する第１収集制御弁と、
前記第２容積部と前記少なくとも１つの垂直な熱交換器との間の連通を制御する第２収集制御弁と、
前記凝縮液収集タンクの前記第１容積部に連通した第１排出弁と、
前記第１排出弁に連通すると共に、周囲空気に対する前記第１排出弁の連通を制御する第１空気弁と、
前記凝縮液収集タンクの前記第２容積部に連通した第２排出弁と、
前記第２排出弁に連通すると共に、周囲空気に対する前記第２排出弁の連通を制御する第２空気弁と、
をさらに備えることを特徴とする請求項１０に記載の２ストローク蒸気真空エンジン。
【請求項１２】
前記真空部が真空タンクを含み、前記真空タンクが内部と前記内部に水を注入するためのインジェクターとを有することを特徴とする請求項１に記載の２ストローク蒸気真空エンジン。
【請求項１３】
複数のシリンダーであって、前記複数のシリンダーの各々は内部容積を有し、各シリンダーは蒸気室と前記蒸気室の境界を定めるピストンとを有し、前記ピストンは膨張位置と収縮位置との間で移動できる前記複数のシリンダーと、
前記膨張位置から前記収縮位置への前記ピストンの移動により定められる動力行程と、
前記収縮位置から前記膨張位置への前記ピストンの移動により定められる蒸気吸入行程と、
主真空タンクと、
前記動力行程中に前記主真空タンクに対する前記蒸気室の連通を制御する複数の第１弁と、
前記蒸気吸入行程中に前記蒸気室への蒸気の進入を制御する複数の第２弁と、
を備え、
前記複数のピストンは同期運動するよう連結され、
前記複数のシリンダーの一方における前記動力行程が前記複数のシリンダーの他方における前記ピストンを駆動して移動させ、
前記複数のシリンダーより下方に配置されて該複数のシリンダーに連通している凝縮液収集タンクと、
補助真空タンクと、
少なくとも１つの補助真空ポンプであって、前記補助真空ポンプは補助真空ポンプシリンダーと補助真空ポンプピストンとを有し、前記真空ポンプシリンダーの内部容積は前記複数のシリンダーすべての合計内部容積よりも十分に小さく、前記補助真空ポンプピストンは前記真空ポンプシリンダー内において第１位置と第２位置との間で縦方向に移動でき、前記補助真空ポンプピストンは同期運動するように前記複数のピストンに連結されている前記少なくとも１つの補助真空ポンプと、
前記少なくとも１つの補助真空ポンプと前記補助真空タンクとに連通した逆止弁であって、前記少なくとも１つの補助真空ポンプからの空気に対して前記補助真空タンクが連通するのを阻止する前記逆止弁と、
を備えることを特徴とする２ストローク蒸気真空エンジン。
【請求項１４】
前記複数のシリンダーが第１ピストンを有する第１シリンダーと第２ピストンを有する第２シリンダーとを含み、
前記第１ピストンに取り付けられた第１ピストンロッドと、
前記第２ピストンに取り付けられた第２ピストンロッドと、
前記第１ピストンと第２ピストンとを直線状に連結する連結器と、
をさらに備えることを特徴とする請求項１３に記載の２ストローク蒸気真空エンジン。
【請求項１５】
２ストローク蒸気真空エンジンから凝縮液を除去する方法であって、前記蒸気真空エンジンは複数のシリンダーを備え、各シリンダーは蒸気室と前記蒸気室の境界を定めるピストンとを有し、前記ピストンは膨張位置と収縮位置との間で移動でき、動力行程は前記膨張位置から前記収縮位置までの前記ピストンの移動により定められ、蒸気吸入行程は前記収縮位置から前記膨張位置までの前記ピストンの移動により定められ、前記蒸気真空エンジンは真空部と、前記動力行程の間に前記真空部に対する前記蒸気室の連通を制御する複数の第１弁と、前記蒸気吸入行程の間に前記蒸気室への蒸気の進入を制御する複数の第２弁とを備え、複数の前記ピストンが同期運動するよう連結され、前記複数のシリンダーのうち一方における動力行程が前記複数のシリンダーのうちの他方におけるピストンを駆動して移動させ、前記方法が、
凝縮液収集タンク中の容積部を前記真空部との連通から密封する工程、
前記容積部を保持室に対して連通する工程、
前記容積部を収縮させる工程、
前記容積部中の凝縮液を前記保持室に移動させる工程、
前記保持室を前記容積部から密封する工程、
前記保持室を周囲空気に対して連通する工程、
凝縮液を前記保持室から排出する工程、
前記保持室を周囲空気から密封する工程、
前記保持室を前記容積部に対して連通する工程、及び
前記容積部を前記真空部に対して連通する工程、
を含むことを特徴とする方法。
【請求項１６】
２ストローク蒸気真空エンジンから凝縮液を除去する方法であって、前記蒸気真空エンジンは複数のシリンダーを有し、各シリンダーは蒸気室と前記蒸気室の境界を定めるピストンとを有し、前記ピストンは膨張位置と収縮位置との間で移動でき、動力行程が前記膨張位置から前記収縮位置への前記ピストンの移動により定められ、蒸気吸入行程が前記収縮位置から前記膨張位置への前記ピストンの移動により定められ、前記蒸気真空エンジンは真空部と、前記動力行程の間に前記真空部に対する蒸気室の連通を制御する複数の第１弁と、前記蒸気吸入行程の間に前記蒸気室への蒸気の進入を制御する複数の第２弁とを備え、複数の前記ピストンは同期運動するよう連結され、前記複数のシリンダーのうち一方における動力行程が前記複数のシリンダーのうち他方における前記ピストンを駆動して移動させ、前記方法が、
前記真空部との連通に対して凝縮液収集タンク内の第１容積部を密封する工程であって、前記第１容積部は前記凝縮液収集タンクの内面とピストンとにより境界が定められる前記工程、
前記第１容積部を保持室に対して連通する工程、
前記真空部との連通に対して前記凝縮液収集タンク内の第２容積部を密封する工程であって、前記第２容積部は前記内面と前記ピストンとにより境界が定められる前記工程、
前記第２容積部を周囲空気に対して連通する工程、
前記第２容積部を膨張させると同時に前記第１容積部を収縮させる工程、
前記第１容積部内の凝縮液を前記保持室に移す工程、
前記保持室を前記第１容積部から密封する工程、
前記保持室を周囲空気に対して連通する工程、
前記凝縮液を前記保持室から排出する工程、
前記保持室を周囲空気から密封する工程、
前記第２容積部を周囲空気から密封する工程、
前記保持室を前記第１容積部に対して連通する工程、
前記第１容積部を前記真空部に対して連通する工程、及び
前記第２容積部を前記真空部に対して連通する工程、
を含むことを特徴とする方法。
【請求項１７】
第１蒸気室と前記第１蒸気室の境界を定める第１ピストンとを有する第１シリンダーと、
第２蒸気室と前記第２蒸気室の境界を定める第２ピストンとを有する第２シリンダーと、
を備え、
前記第１ピストン及び第２ピストンは同期運動するよう連結され、
前記シリンダー各々における各ピストンは膨張位置と収縮位置との間で移動でき、前記膨張位置から前記収縮位置への移動が動力行程を定め、前記収縮位置から前記膨張位置への移動が蒸気吸入行程を定め、前記第１シリンダー及び第２シリンダーのうち一方における動力行程が前記第１シリンダー及び第２シリンダーのうち他方における蒸気吸入行程を同時に生じさせ、
前記シリンダー各々の動力行程の間、前記第１シリンダー及び第２シリンダーのうちの一方の前記蒸気室の真空部に対する連通を制御する複数の弁を備え、
前記複数の弁がさらに、前記シリンダー各々の蒸気吸入行程の間、前記第１シリンダー及び第２シリンダーのうち一方の前記蒸気室への蒸気の進入を制御し、前記シリンダーのうち一方における動力行程が前記他方のシリンダーにおける蒸気吸入行程を駆動する、
ことを特徴とする蒸気真空エンジン。
【請求項１８】
前記第１ピストンに取り付けられた第１ピストンロッドと、
前記第２ピストンに取り付けられた第２ピストンロッドと、
前記第１ピストンと第２ピストンとを連結する連結器と、
をさらに備えることを特徴とする請求項１７に記載の蒸気真空エンジン。
【請求項１９】
前記第１ピストンロッドと第２ピストンロッドとが平行関係にて配置されることを特徴とする請求項１８に記載の蒸気真空エンジン。
【請求項２０】
前記第１ピストンロッドと第２ピストンロッドとが直線状に固定されることを特徴とする請求項１８に記載の蒸気真空エンジン。
【請求項２１】
前記第１蒸気室及び第２蒸気室との連通が制御された蒸気供給源をさらに備えることを特徴とする請求項１７に記載の蒸気真空エンジン。
【請求項２２】
前記蒸気供給源が少なくとも１つの太陽熱収集器からなることを特徴とする請求項２１に記載の蒸気真空エンジン。
【請求項２３】
前記複数の弁が前記蒸気供給源と前記第１蒸気室及び第２蒸気室との連通を制御するための複数の蒸気弁を含むことを特徴とする請求項２１に記載の蒸気真空エンジン。
【請求項２４】
前記蒸気吸入行程中に大気圧にほぼ等しい圧力を有する蒸気が前記蒸気室に入れられることを特徴とする請求項１７に記載の蒸気真空エンジン。
【請求項２５】
前記第１蒸気室及び第２蒸気室との連通が制御された真空部をさらに備えることを特徴とする請求項１７に記載の蒸気真空エンジン。
【請求項２６】
前記複数の弁が前記真空部と前記第１蒸気室及び第２蒸気室との連通を制御するための複数の真空弁を含むことを特徴とする請求項２５に記載の蒸気真空エンジン。
【請求項２７】
前記第１蒸気室及び第２蒸気室との連通が制御された蒸気供給源と、
前記第１蒸気室及び第２蒸気室との連通が制御された真空部と、
をさらに備え、
前記第１シリンダー及び第２シリンダーのうち一方の前記蒸気吸入行程の間、前記一方のシリンダーの前記蒸気室は前記真空部に対して通常は閉じ、前記蒸気供給源に対して通常は開き、前記第１シリンダー及び第２シリンダーのうち他方の前記蒸気室は前記蒸気供給源に対して通常は閉じ、前記真空部に対して通常は開き、
前記第１シリンダー及び第２シリンダーのうち一方の前記動力行程の間、前記一方のシリンダーの前記蒸気室は前記蒸気供給源に対して通常は閉じ、前記真空部に対して通常は開き、前記第１シリンダー及び第２シリンダーのうち他方の前記蒸気室は前記真空部に対して通常は閉じ、前記蒸気供給源に対して通常は開く、
ことを特徴とする請求項１７に記載の蒸気真空エンジン。
【請求項２８】
前記複数の弁が前記蒸気供給源から前記第１蒸気室への蒸気の導入を制御するための第１蒸気弁と、前記蒸気供給源から前記第２蒸気室への蒸気の導入を制御するための第２蒸気弁と、前記真空部と前記第１蒸気室との連通を制御するための第１真空弁と、前記真空部と前記第２蒸気室との連通を制御するための第２真空弁とを含むことを特徴とする請求項１７に記載の蒸気真空エンジン。
【請求項２９】
前記第１蒸気弁及び前記第２真空弁に連動接続された第１スイッチを備え、前記第１スイッチが第１状態と第２状態とを有し、前記第１状態では前記第１スイッチは前記第１蒸気弁と前記第２真空弁とを同時に開き、前記第２状態では前記第１スイッチは前記第１蒸気弁と前記第２真空弁とを同時に閉じ、
前記第２蒸気弁及び前記第１真空弁に連動接続された第２スイッチを備え、前記第２スイッチは第１状態と第２状態とを有し、前記第１状態では前記第２スイッチは前記第２蒸気弁と前記第１真空弁とを同時に開き、前記第２状態では前記第２スイッチが前記第２蒸気弁と前記第１真空弁とを同時に閉じ、
前記第１スイッチの状態を制御するための第１コントローラと、
前記第２スイッチの状態を制御するための第２コントローラとを備え、前記第２コントローラは前記第１コントローラに連結され、前記第１コントローラ及び第２コントローラは第１位置と第２位置との間で同時に移動でき、前記第１位置では前記第１スイッチは前記第１状態にあり、前記第２スイッチは前記第２状態にあり、前記第２位置では前記第１スイッチは前記第２状態にあり、前記第２スイッチは前記第１状態にあり、
前記連結器が前記コントローラに周期的に接触して前記コントローラを前記第１位置及び第２位置の一方から他方に移動させることを特徴とする請求項２８に記載の蒸気真空エンジン。
【請求項３０】
前記第１蒸気室及び前記第２蒸気室との連通が制御された少なくとも１つの熱交換器をさらに備え、前記熱交換器が前記真空部に連通していることを特徴とする請求項１７に記載の蒸気真空エンジン。
【請求項３１】
前記第１蒸気室及び前記第２蒸気室との連通が制御された少なくとも１つの膨張室をさらに備え、前記膨張室が前記少なくとも１つの熱交換器に連通していることを特徴とする請求項３０に記載の蒸気真空エンジン。